(57)【要約】【課題】  長期間に亘って、本体ケース内で清掃対象物の保持力を維持し且つ掻上ロール体に付着した清掃対象物の残留を回避し得る清掃具を提供する。【解決手段】  本発明の清掃具１は、本体ケース２に回転自在に支持された掻上ロール体３と、本体ケース２内に設けられた粘着ロール体５とを備え、掻上ロール体３が、本体ケース２の進行に伴って回転することによりカーペット８上の塵埃９を本体ケース２内に掻き上げると共に、粘着ロール体５が、本体ケース２内の塵埃９を粘着するように構成されている。掻上ロール体３と粘着ロール体５との間に、掻取パイル体１０が設けられている。掻取パイル体１０は、その表面から傾いて起毛した傾斜パイル群１０ａからなり、傾斜パイル群１０ａが掻上ロール体３に対し押圧下で所定の掻取方向Ｃに相対移動することにより掻上ロール体１０に付着した塵埃９を掻き取るように構成されている。【選択図】    図１
2005177323.tif 000002
【特許請求の範囲】
【請求項１】
本体ケースに回転自在に支持された掻上ロール体と、該本体ケース内に設けられた保持体とを備え、該掻上ロール体が、該本体ケースの進行に伴って回転することにより被清掃面上の清掃対象物を該本体ケース内に掻き上げると共に、該保持体が、該本体ケース内の該清掃対象物を保持する清掃具において、
前記掻上ロール体と前記保持体との間に、掻取パイル体が設けられており、
前記掻取パイル体は、その表面から傾いて起毛した傾斜パイル群を有し、該傾斜パイル群が前記掻上ロール体に対し押圧下で所定の掻取方向に相対移動することにより該掻上ロール体に付着した前記清掃対象物を掻き取るように構成されている清掃具。
【請求項２】
前記掻取パイル体は、無端帯状に形成され、前記本体ケースに回転自在に支持されており、その回転方向が前記掻取方向と同じ向きになるように設定されている請求項１記載の清掃具。
【請求項３】
前記保持体は、その回転方向が前記掻取パイル体の前記掻取方向と逆向きになるように設定されている請求項２記載の清掃具。
【請求項４】
前記掻取パイル体は、前記掻取方向に進む回転動力が与えられるように構成されている請求項２又は３に記載の清掃具。
【請求項５】
前記本体ケースの底部には、すくい体が前記掻上ロール体と対向して設けられ、該すくい体は、前記掻上ローラ上の前記清掃対象物を前記掻上ローラと前記掻取パイル体との間に誘導するように構成されている請求項１〜４の何れかに記載の清掃具。
【請求項６】
前記本体ケースに回転自在に支持され該本体ケースの進行に伴って前記掻上ロール体と共に回転する回転ロール体を備え、
前記保持体は、前記回転ロール体と当接することにより従動回転するように構成された粘着ロール体であり、前記掻取パイル体に付着した前記清掃対象物を粘着保持する請求項１〜５の何れかに記載の清掃具。
【発明の詳細な説明】
【技術分野】
【０００１】
本発明は、住居内でカーペットやフローリング等の床面を清掃する際に用いられる清掃具に関し、特に、ケースに支持された掻上ロール体の回転に伴い床面上の塵埃等をケース内に掻き上げて集塵する手動式の清掃具に関する。
【背景技術】
【０００２】
従来より、この種の清掃具として、図４に示すように、フレーム１０２に掻き上げ体１０３及び回転体１０４を回動自在に並列支持し、これらの上に粘着ロール１０５を回動自在に配置した清掃具１０１が知られている（特許文献１参照）。
この清掃具１０１においては、清掃具１０１の進行に伴い、掻き上げ体１０３及び回転体１０４が共に回転し、粘着ロール１０５が回転体１０４と接触して連れ回るようになっている。このような動作中、カーペット１０６上の塵埃１０７を掻き上げ体１０３によってフレーム１０２内に掻き上げ、その塵埃１０７を、粘着ロール１０５に捕捉した後、その捕捉した塵埃１０７を、粘着ロール１０５と回転体１０４との接触回転により、粘着ロール１０５の粘着面に押し付けて固定化するようにしている。
【０００３】
【特許文献１】特許第３３６１３２７号公報
【発明の開示】
【発明が解決しようとする課題】
【０００４】
しかしながら、上記特許文献１に記載された清掃具１０１においては、掻き上げ体１０３によって掻き上げられた塵埃１０７（特に、カーペットの繊維１０７'等のように軽いもの）がそのまま粘着ロール１０５に転移するため、粘着面が塵埃で覆われてその粘着力が低下するという事態が比較的早い時期に生じていた。
その結果、粘着ロール１０５の粘着する構成によっても異なるが、粘着ロール１０５が洗浄タイプのものであれば粘着面の洗浄作業、粘着ロール１０５が粘着シートを巻回したタイプのものであれば使用済み粘着シートの廃棄作業等のように、粘着ロール１０５の粘着力を復元させる作業を頻繁に行わなければならないという問題があった。
また、上述した粘着力の低下により、掻き上げ体１０３に付着している塵埃１０７が、粘着ロール１０５に転移せずに残留し、カーペット上の塵埃を掻き上げるという清掃具本来の機能が発揮されないという問題もあった。
【０００５】
従って、本発明の目的は、長期間に亘って、本体ケース内で清掃対象物の保持力を維持し且つ掻上ロール体に付着した清掃対象物の残留を回避し得る清掃具を提供することにある。
【課題を解決するための手段】
【０００６】
本発明は、本体ケースに回転自在に支持された掻上ロール体と、該本体ケース内に設けられた保持体とを備え、該掻上ロール体が、該本体ケースの進行に伴って回転することにより被清掃面上の清掃対象物を該本体ケース内に掻き上げると共に、該保持体が、該本体ケース内の該清掃対象物を保持する清掃具において、前記掻上ロール体と前記保持体との間に、掻取パイル体が設けられており、該掻取パイル体は、その表面から傾いて起毛した傾斜パイル群を有し、該傾斜パイル群が前記掻上ロール体に対し押圧下で所定の掻取方向に相対移動することにより該掻上ロール体に付着した前記清掃対象物を掻き取るように構成されている清掃具を提供することにより上記目的を達成したものである。
本出願において、「掻取方向」とは、傾斜パイル群が逆立てられる方向をいい、また、「掻取方向と逆向き」の方向とは、傾斜パイル群が寝る方向をいう。
【発明の効果】
【０００７】
本発明によれば、掻取パイル体について、一方向に進めば清掃対象物を掻き取り、他方向に進めば清掃対象物を吐き出すという性質を利用することにより、粘着ロール体に清掃対象物を直接転移させずその表面が清掃対象物によって覆われる期間を延ばすことによって、長期間に亘って本体ケース内で清掃対象物の保持力を維持でき、また、掻上ロール体に清掃対象物が残留する事態を回避できる。
【発明を実施するための最良の形態】
【０００８】
以下、本発明の清掃具の最も好ましい一実施形態を詳細に説明する。
図１又は図２に示すように、本実施形態の清掃具１は、本体ケース２に回転自在に支持された掻上ロール体３と、本体ケース２内に設けられた粘着ロール体（保持体）５とを備え、掻上ロール体３が、本体ケース２の進行に伴って回転することによりカーペット（被清掃面）８上の塵埃（清掃対象物）９を本体ケース２内に掻き上げると共に、粘着ロール体５が、本体ケース２内の塵埃９を粘着（保持）するように構成されている。
掻上ロール体３と粘着ロール体５との間に、掻取パイル体１０が設けられている。掻取パイル体１０は、その表面から傾いて起毛した傾斜パイル群１０ａからなり、傾斜パイル群１０ａが掻上ロール体３に対し押圧下で所定の掻取方向Ｃに相対移動することにより掻上ロール体１０に付着した塵埃９を掻き取るように構成されている
以下、かかる清掃具１の詳細を述べる。
【０００９】
本体ケース２は、上面がフロントカバー２ａ、トップカバー２ｂ及びリアカバー２ｃから一体になり、底面がボトムカバー２ｄからなる中空箱状に形成されている。トップカバー２ｂは、透明な樹脂から形成されており、掻上ロール体３や粘着ロール体５等の塵埃９の付着程度について外部から監視可能になっており、また、粘着力の復元作業の際に開閉するようになっている。
【００１０】
本体ケース２のフロント側には、フロントカバー２ａとボトムカバー２ｄの前方部との間に、空隙部が形成されており、その空隙部に、掻上ロール体３が一部露出した状態で配置されている。掻上ロール体３は、本体ケース２に軸支された回転軸３ｃを介して回転自在に支持されている。
【００１１】
掻上ロール体３は、フロントローラ３ｂと、ブラシ３ａとからなる。ブラシ３ａは、フロントローラ３ｂの中心軸から放射状に延びその外周面から突出して配列されている。ブラシ３ｂは、カーペットや絨毯等から塵埃９をすくい上げて本体ケース２内に掻き上げるため、所定の弾性部材からなっている。
【００１２】
本体ケース２のリア側には、回転ロール体４が、回転軸４ｃを介して回転自在に支持されている。回転ロール体４は、リヤローラ４ａと、接触ローラ４ｂとからなる。リヤローラ４ａは、フロントローラ３ａとほぼ同一の外径で形成されており、接触ローラ４ｂの両端に配置されている。接触ローラ４ｂは、リヤローラ４ａと同軸上にあってこれより小さい外径で形成されている。
【００１３】
トップケース２ｂの下側には、粘着ロール体５が、回転軸５ｃを介して回転自在に支持されている。粘着ロール体５の回転軸５ｃは、掻上ロール体３の回転軸３ｃ及び回転ロール体４の回転軸４ｃより上側に配置されている。
【００１４】
粘着ロール体５は、粘着ローラ５ａと、スペーサ５ｂとからなる。粘着ローラ５ａは、接触ローラ４ｂと接し且つ掻上ロール体３との間に空隙をつくる外径で形成されており、接触ローラ４ｂに対向してこれと押圧接触している。
粘着ローラ５ａは、本体ケース２内の塵埃９（特に、掻取パイル体１０に付着している繊維９'）を粘着保持するものであれば、その構成を問わないが、本実施形態の場合、粘着性を有するエラストマーからなっており、洗浄によって粘着力を復元するようになっている。
【００１５】
なお、粘着ローラ５ａは、粘着シートが巻回されて構成されていてもよいが、この場合、使用済み粘着シートの廃棄毎に、粘着ローラ５ａの外径が減少するため、例えば、回転ロール体４の回転軸４ｃが前後方向にスライドし、接触ローラ４ｂがバネ等の付勢力により粘着ローラ５ａに押圧接触するようになっていればよい。
【００１６】
粘着ローラ５ａの回転軸５ｃの両端部には、スペーサ５ｂを介して、支持アーム７が取り付けられている。この支持アーム７は、アームロッド７ｂと、その先端部に形成されたアームヘッド７ａ等からなり、アームヘッド７ａが、粘着ローラ５ａを跨ぐように回転軸５ｃに揺動自在に支持されている。
【００１７】
図１又は図２に示すように、掻上ロール体３と粘着ロール体５との間に形成された空隙部には、掻取パイル体１０が、掻上ロール体２の回転軸３ｃを通過する水平面に対し、傾斜して配置されている。この掻取パイル体１０は、掻上ロール体３のブラシ３ｂと押圧接触し且つ粘着ロール体５に触れる程度まで接近した位置にある。
【００１８】
掻取パイル体１０は、無端帯状のパイルベルト１０ｂと、その表面に傾いて起毛した傾斜パイル群１０ａとからなる。ここで、傾斜パイル群１０ｂは、いわゆるエチケットブラシ（登録商標）の表面に形成されたパイル群と同様のもので、パイルを逆立てる方向（掻取方向）に操作した場合は、接触している物体の付着物をその表面から、パイルに移行させやすい性質を有し、これと反対にパイルを寝かせる方向（掻取方向と逆向き方向）に操作した場合は、パイルの付着物をその表面から、接触している物体に移行させやすい性質を有している。
【００１９】
この性質は、接触体又は掻取パイル体１０の何れか一方だけを動かしても、また、両者を同時に動かしても現れる。両者を動かす場合は、接触体を動かす方向と、掻取パイル体１０を動かす方向は逆になる。また、両者を同じ同じ方向に動かした場合でも、掻取パイル体１０の方向が適正であり、かつ接触体と掻取パイル体１０との間に速度差があるときは、この限りではなく、掻取パイル体１０が接触体よりも高速で動いていれば、その速度差分、接触体から掻取パイル体１０への移行の効果が奏される。
【００２０】
具体的には、図２に基づいて、接触体から掻取パイル体１０へ移行させる場合を説明すると、掻取パイル体１０はそのパイルが逆立てられる方向（掻取方向ｃ）に相対的に進めばよいため、Ｖ1方向（反時計回り方向ＣＣＷ）に回転する掻上ロール体３に対し、掻取パイル体１０の移動方向は、Ｖ3方向である。
一方、掻取パイル体１０から粘着ロール体５へ移行させる場合には、掻取パイル体１０はそのパイルが寝る方向（掻取方向と逆向き方向ｃ’）に相対的に進めばよいため、Ｖ3方向に移動する掻取パイル体１０に対し、粘着ロール体５の回転方向は、Ｖ2方向（時計回り方向ＣＷ）である。
【００２１】
本実施形態では、掻上ロール体３で掻き取った汚れを掻取パイル体１０に移行させ、さらに粘着ロール体５に移行させる必要がある。
従って、速度差による移行よりも、動作方向の違いによる移行のほうが好ましい。ただし、これらの回転にモーター等手動以外の動力が利用できるのであればこの限りではない。
また、図２に示したような関係にあっても、掻取パイル体１０の速度Ｖ3（外周成分の線速度）と、粘着ロール体５の速度Ｖ2(外周成分の線速度）との大小関係については、Ｖ2が大きい方が好ましい。
Ｖ3がＶ2より大きい場合には、傾斜パイル群１０ｂの上記性質が十分に活かされず、掻取パイル体１０に掻き取った汚れが残留してしまう虞がある。しかし、粘着ロール体５は、表面に十分な粘着性を持っているため、等速程度であれば、その虞が小さく十分である。
【００２２】
このような掻取パイル体１０は、本体ケース２に軸支されたベルト軸１０ｃに回転自在に架けられている。
上記、掻上ロール体３と、掻取パイル体１０と、粘着ロール体５の三者関係は、掻上ロール体３が掻き上げ力の高い方向の操作をされた場合に保たれるのが好ましい。図２で、掻上ロール体３がＶ1の時、掻き上げ力が高いとすれば、掻取パイル体１０の回転方向は、Ｖ3であることが好ましい。粘着ロール体は、Ｖ2が好ましい。
請求項２及び３に記載した回転方向は、上記同様掻上ロール体３が高い掻き上げ力を示す場合である。
【００２３】
図３に速度差による掻上ロール体３から掻取パイル体１０への移行を生ずるタイプを示した。この場合、掻上ロール体３と掻取パイル体１０の速度差（外周成分の線速度）を以下に示すように定めなければならない。
具体的には、図３に示すように、掻上ロール体３の反時計回り方向ＣＣＷに対し、掻取パイル体１０の回転方向が、時計回り方向ＣＷである場合には、傾斜パイル群１０ｂが掻上ロール体３に対し相対的に掻取方向Ｃに進むようにするために、掻取パイル体１０の速度Ｖ3は、掻上ロール体３の速度Ｖ1より大きくする必要がある。
【００２４】
粘着ロール体５の回転により、掻取パイル体１０を寝かす方向に動かし、汚れを掻取パイル体１０から粘着ロール体５へ移行させる必要がある。従って、粘着ロール体５の回転方向はＶ2となる。掻取パイル体１０の速度（外周部線速度）Ｖ3と粘着ロール体５の速度（外周部線速度）Ｖ2とは、図２の場合同様、Ｖ2の方が大きい方が好ましい。
【００２５】
上述した掻取パイル体１０は、掻取方向Ｃに進む回転動力が与えられるように構成されている。
具体的には、掻上ロール体３の回転軸３ｃと、掻取パイル体１０のベルト軸１０ｃとの間に、上記回転方向に応じた数の歯車からなるギヤ列（図示しない）が配置されている。掻取パイル体１０のベルト軸１０ｃには、掻上ロール体３の回転軸３Ｃに生じた回転動力が伝達されるようになっている。
【００２６】
図１に示すように、ボトムカバー２ｄの前方部には、すくい部（すくい体）２１が形成されている。このすくい部２１は、フロントローラ３ａとほぼ同じ曲率の凹曲面状に形成され、掻上ロール体３と対向して配置されている。
すくい部２１は、掻上ロール体３によって掻き上げられた塵埃９を、掻上ロール体３と掻取パイル体１０との接触部分に誘導する機能を有するほか、その接触部分に到達しない塵埃９（比較的大きなもの）を集める集塵空間２２をボトムカバー２ｄに形成する機能をも有する。
【００２７】
次に、本実施形態の清掃具１の使用態様及び作用を図１及び図２を参照して述べる。
本体ケース２をカーペット８上に置き、支持アーム７を持って本体ケース２を押し出す。
この場合、本体フレーム２の進行に伴い、掻上ロール体３が回転し、ブラシ３ｂがカーペット上８の塵埃９を掻き上げる。掻き上げられた塵埃９のうち、繊維等の小さい塵埃９は、ブラシ３ｂに絡まって掻上ロール体３と掻取パイル体１０との接触部分に到達し、比較的大きな塵埃７は、すくい部２１の誘導に従って集塵空間２２に収まる。
【００２８】
その後、小さい塵埃９については、図２に示すように、ブラシ３ｂ上で反時計回り方向ＣＣＷに進むが、掻取方向Ｃに進む傾斜パイル群１０ａによって掻き取られ、パイル単体１０ａ1間に取り込まれる。
一方、傾斜パイル群１０ａに取り込まれた塵埃９は、Ｖ2に進む粘着ロール体５によって掻き出され、粘着ロール体５の表面に吸着される。この塵埃９は、接触ローラ４ｂによって、粘着ロール体５の表面上に加圧固定される。
【００２９】
このように、掻取パイル体１０は、掻上ロール体３によって掻き上げられた塵埃９を直接粘着ロール５に付着させずに、ある程度の期間だけ塵埃９を保持することによって、粘着ロール体５の表面が塵埃９によって覆われる期間を延ばしている。
また、掻取パイル体１０は、塵埃９を掻き取る方向性をもっており、パイル単体１０ａ1間に塵埃９が詰まっていても、掻出方向Ｃ'に力を加えられない限り塵埃９を吐き出さず、その一方で、掻出方向Ｃ'に進む粘着ロール体５に塵埃９を吐き出して粘着させている。
以上の掻上ロール体３、粘着ロール体５及び掻取パイル体１０の相互作用については、上記図３に示す構成であっても同様である。
【００３０】
以上述べたように、本実施形態によれば、掻上ロール体３と粘着ロール体５との間に、掻取パイル体１０を設け、掻取ロール体３上の塵埃９を掻き取り、その塵埃９を粘着ロール体５に粘着させるようにしたため、粘着ロール体５の表面が塵埃９によって覆われる期間を延ばすことができ、その結果、長期間に亘って本体ケース２内で塵埃９の保持力を維持でき、ひいては、粘着力の復元作業を軽減することができる。
【００３１】
また、本実施形態によれば、掻取パイル体１０が掻き取った塵埃９を、粘着ロール体５によって掻き出して粘着するようにしたため、掻取パイル体１０を、塵埃９で飽和した状態に至らないようにすることができる。その結果、掻上ロール体３に、塵埃９が残留したり、或いは、掻取パイル体１０から塵埃９が再転移する事態を回避できる。
【００３２】
本発明は、上記実施形態に限られることなく、種々の変更等を行うことができる。
例えば、傾斜パイル群１０ａは、一方向に回転する掻上ロール体３に対し相対的にパイルを逆立てる方向に移動すればよく、図２に示す例では、掻取パイル体１０が連続的に回転し続ける必要はない。
【００３３】
また掻取パイル体１０と粘着ロール体５とが近接する領域において、粘着ロール体５と同じ方向に回転するブラシ体や、傾斜パイル群１０ａに対して所望の角度で当接するスクレーパ等の除去手段を配設し、この除去手段によって、掻取パイル体１０から掻き出した塵埃７を、一旦浮遊させてから粘着ロール体５に付着させるようにしてもよい。あるいは、短い繊維状物は、除去し、比較的長い繊維状物だけ、粘着ロール体に付着させる方式としても良い。
【００３４】
本発明は、前述のように傾斜パイルの示す、片方に操作したときに、接触体から取り去りやすく、逆の方向では、接触体に与えやすいと言う性質を利用している。このため、清掃用具全体としても、どちらかの方向で、掻き上げ性能が高いタイプに適用することが好ましい。このタイプの場合は、その方向のときに、掻き上げ体の回転方向が、掻取パイル体１０体のパイルを逆立てる方向でかつ粘着ロール体の回転方向は、掻取パイル体１０体のパイルを寝かす方向であることが好ましい。掻き上げ体の回転方向の道具全体の動作方向との関係とは、独立である。
【００３５】
さらにまた、保持体は、粘着ロール体５に限られず、本体ケース２内の塵埃を保持できるものであればよく、例えば、掻上ロール体３等の回転動力によって回転しつつ塵埃９を吸引するような羽根車機構等であってもよい。
【００３６】
なお、回転ロール体４は、掻上ロール体３と共に本体ケース２に直進運動を与えつつ、同時に粘着ロール体５上に付着した塵埃９を固定する点では必要である。もっとも、掻上ロール体３が１個又は複数であっても本体ケース２を直進させることができ、また、粘着ロール体５と押圧接触する別のローラであっても粘着ロール体５上に塵埃９を固定することができるため、かかる点においては、回転ロール体４は付随的な構成である。
【図面の簡単な説明】
【００３７】
【図１】本実施形態の清掃具の概略構成を示す側方断面図である。
【図２】本実施形態の清掃具における掻上ロール体、粘着ロール体及び掻取パイル体の三者関係を示す図である。
【図３】本実施形態の清掃具の変形例における掻上ロール体、粘着ロール体及び掻取パイル体の三者関係を示す図である。
【図４】従来の清掃具の概略構成を示す側方断面図である。
【符号の説明】
【００３８】
２    本体ケース
３    掻上ロール体
４    回転ロール体
５    粘着ロール体（保持体）
１０    掻取パイル体
１０ａ  傾斜パイル群
Ｃ    掻取方向
Ｃ'  掻出方向（「掻取方向と逆向き」の方向）
【図１】
2005177323.tif 000003
【図２】
2005177323.tif 000004
【図３】
2005177323.tif 000005
【図４】
2005177323.tif 000006